【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
致命的又は致死的な進行性の病気の治療を受けている患者のための患者ケアサービスを決定する方法であって、
（ａ）プロセッサを備えるシステムによって、患者個人健康情報を含むデータを受け取ることにより患者の症状を識別するステップと、
（ｂ）前記システムによって、前記患者個人健康情報を含む前記データを分析することにより前記患者の苦痛レベルを決定するステップと、
（ｃ）前記システムによって、前記患者の苦痛レベル及び前記患者の症状の重症度を含む基準に基づいてスコアを確立するステップと、
（ｄ）前記患者の前記個人健康情報を含むデータに基づいて前記患者を複数のノードアドレスの１つのノードアドレスに分類するステップであって、前記ノードアドレスは予め決められた変数のセットの値を表し、前記ノードアドレスは前記予め決められた患者ケアサービスの１又は２以上の方策のグループに関連付けられる、ステップと、
（ｅ）前記システムによって、前記スコアに基づいて、前記予め決められた患者ケアサービスの１又は２以上の方策のグループから予め決められた患者ケアサービスの方策を選択することによって、前記致命的又は致死的な進行性の病気の臨床経過及び前記患者の苦痛レベルに適した１又は２以上の患者ケアサービスを決定するステップと、
を含む方法。
【請求項２】
第１の事業体によって前記患者に提供される前記１又は２以上の患者ケアサービスの品質及び／又は妥当性を、他の事業体によって他の患者に提供される患者ケアサービスの品質及び／又は妥当性と比較するステップを更に含む、請求項１に記載の方法。
【請求項３】
前記予め決められた患者ケアサービスの１又は２以上の方策のグループから予め決められた患者ケアサービスの方策を選択することは、前記スコアに基づくケアの積極性及び治療の積極性を決定することを含む、請求項１に記載の方法。
【請求項４】
前記予め決められた患者ケアサービスの方策を選択することは、前記スコアと前記スコアに対する１又は２以上の閾値との比較に基づいている、請求項１に記載の方法。
【請求項５】
前記個人健康情報を含むデータに基づいて前記患者を前記ノードアドレスに分類するステップは、前記事前に選択された変数のセットを前記データ内の前記患者の属性と照合するステップを含む、請求項１に記載の方法。
【請求項６】
前記事前に選択された変数のセットを表すプレフィックス、中間値、及びサフィックスを含む離散的区切り付数字列として前記ノードアドレスを表すステップを更に含む、請求項１に記載の方法。
【請求項７】
前記予め決められた患者ケアサービスの１又は２以上の方策のグループの各方策は、当該治療サイクルに対する予め決められた費用に関連する、請求項１に記載の方法。
【請求項８】
前記選択された治療方針は、治癒的治療、進行を遅らせる治療、又は緩和治療を含む、請求項１に記載の方法。
【請求項９】
前記患者個人健康情報を含む前記データは、前記患者の苦痛レベルを確立するのに効果的な患者質問票の結果を含む、請求項１に記載の方法。
【請求項１０】
前記患者個人健康情報を含む前記データは、パフォーマンスステータス、痛み、最愛の人への負担であるという認識、経済的負担についての認識、及び前記患者の憂鬱感のうちの少なくとも１つに関連する、請求項１に記載の方法。
【請求項１１】
更新された前記患者個人健康情報を含む更新データを受け取るステップと、
前記更新された患者個人健康情報を含む前記更新データを分析して、更新スコアを決定するステップと、
前記更新スコアに基づいて、前記予め決められた患者ケアサービスの１又は２以上の方策のグループから予め決められた患者ケアサービスの別の方策を選択することにより前記患者の治療を修正するステップと、
を更に含む、請求項１に記載の方法。
【請求項１２】
致命的又は致死的な進行性の病気の治療を受けている患者のための患者ケアサービスを決定するためのコンピュータプログラム命令を格納する非一時的コンピュータ可読記憶媒体であって、前記コンピュータプログラム命令は、少なくとも１つのプロセッサ上で実行されたときに、前記少なくとも１つのプロセッサに対して、請求項１から１１のいずれか１項に記載の方法を実行させる、ことを特徴とする非一時的コンピュータ可読記憶媒体。
【請求項１３】
致命的又は致死的な進行性の病気の治療を受けている患者のための患者ケアサービスを決定するためのシステムであって、
患者個人健康情報を含むデータを格納するデータベースと、
患者分析システムと、
を備え、
前記患者分析システムが、
少なくとも１つのプロセッサと、
コンピュータプログラム命令を格納するメモリと、
を含み、
前記コンピュータプログラム命令は、前記少なくとも１つのプロセッサ上で実行されたときに、前記少なくとも１つのプロセッサに対して、
（ａ）前記患者個人健康情報を含むデータを受け取ることにより患者の症状を識別するステップと、
（ｂ）前記患者個人健康情報を含む前記データを分析することにより前記患者の苦痛レベルを決定するステップと、
（ｃ）前記患者の苦痛レベル及び前記患者の症状の重症度を含む基準に基づいて、前記患者の苦痛レベルを前記致命的又は致死的な進行性の病気の臨床経過と相関付けるスコアを確立するステップと、
（ｄ）前記患者の前記個人健康情報を含むデータに基づいて前記患者を複数のノードアドレスの１つのノードアドレスに分類するステップであって、前記ノードアドレスは予め決められた変数のセットの値を表し、前記ノードアドレスは前記予め決められた患者ケアサービスの１又は２以上の方策のグループに関連付けられる、ステップと、
（ｅ）前記スコアに基づいて、前記予め決められた患者ケアサービスの１又は２以上の方策のグループから予め決められた患者ケアサービスの方策を選択することによって、前記致命的又は致死的な進行性の病気の臨床経過及び前記患者の苦痛レベルに適した１又は２以上の患者ケアサービスを決定するステップと、
を含む動作を実行させる、ことを特徴とするシステム。
【請求項１４】
前記動作は更に、第１の事業体によって前記患者に提供される前記１又は２以上の患者ケアサービスの品質及び／又は妥当性を他の事業体によって他の患者に提供される患者ケアサービスの品質及び／又は妥当性と比較するステップを含む、請求項１３に記載のシステム。
【請求項１５】
前記予め決められた患者ケアサービスの１又は２以上の方策のグループから予め決められた患者ケアサービスの方策を選択することは、前記スコアに基づくケアの積極性及び治療の積極性を決定することを含む、請求項１３に記載のシステム。
【請求項１６】
前記予め決められた患者ケアサービスの方策を選択することは、前記スコアと前記スコアに対する１又は２以上の閾値との比較に基づいている、請求項１３に記載のシステム。
【請求項１７】
前記個人健康情報を含むデータに基づいて前記患者を前記ノードアドレスに分類するステップは、前記事前に選択された変数のセットを前記データ内の前記患者の属性と照合するステップを含む、請求項１３に記載のシステム。
【請求項１８】
前記動作は更に、前記事前に選択された変数のセットを表すプレフィックス、中間値、及びサフィックスを含む離散的区切り付数字列として前記ノードアドレスを表すステップを含む、請求項１３に記載のシステム。
【請求項１９】
前記予め決められた患者ケアサービスの１又は２以上の方策のグループの各方策は、当該治療サイクルに対する予め決められた費用に関連する、請求項１３に記載のシステム。
【請求項２０】
前記選択された治療方針は、治癒的治療、進行を遅らせる治療、又は緩和治療を含む、請求項１３に記載のシステム。
【請求項２１】
前記患者個人健康情報を含む前記データは、前記患者の苦痛レベルを確立するのに効果的な患者質問票の結果を含む、請求項１３に記載のシステム。
【請求項２２】
前記患者個人健康情報を含む前記データは、パフォーマンスステータス、痛み、最愛の人への負担であるという認識、経済的負担についての認識、及び前記患者の憂鬱感のうちの少なくとも１つに関連する、請求項１３に記載のシステム。
【請求項２３】
前記動作は更に、
更新された患者個人健康情報を含む更新データを受け取るステップと、
前記更新された患者個人健康情報を含む前記更新データを分析して、更新スコアを決定するステップと、
前記更新スコアに基づいて、前記予め決められた患者ケアサービスの１又は２以上の方策のグループから予め決められた患者ケアサービスの別の方策を選択することにより前記患者の治療を修正するステップと、
を含む、請求項１３に記載のシステム。